(57)【要約】【課題】  簡素な構造のカードコネクタの誤挿入防止機構および低コスト化が容易なカードコネクタを提供する。【解決手段】  ベース部材とカバー部材により、カード挿抜口を備えたカード収容空間が形成されているカードコネクタにあって、上壁１２ａおよび左右の側１２ｂ壁を有するカバー部材１２に一枚の金属板で一体に形成され、左右の側壁１２ｂに沿い形成された一対の片持ち梁状板ばねからなるガイド部材２５と、上記上壁１２ａに支持されカード収容空間の方向に張り出す誤挿入防止ばね板２３と、からなり、前記誤挿入防止ばね板２３は、ガイド部材２５に設けられている一対の識別突起部２５ｃのいずれもがカード収容空間から左右の側壁１２ｂ側に後退することにより、カバー部材１２の上壁１２ａ側に変位できるようになっている。【選択図】  図３
2011233076.tif 000002
【特許請求の範囲】
【請求項１】
複数のコンタクトを有するベース部材と該ベース部材に重ね合わされる板ばね材料からなるカバー部材とにより、カード挿抜口を備えたカード収容空間が形成されているカードコネクタにあって、
前記カバー部材はガイド部材と誤挿入防止ばね板を一枚の金属板の一体成型で備えており、前記ガイド部材は少なくとも上壁および左右の側壁を有する前記カバー部材に一体に形成され、前記左右の側壁に連なり折り返され、カード挿抜方向に伸びるように形成された一対の片持ち梁状板ばねを有し、該片持ち梁状板ばねのそれぞれに一体に形成され前記カード挿抜口近くで前記カード収容空間内に突出している一対のカード識別突起を備えており、誤挿入防止ばね板は前記上壁に支持され前記カード収容空間の方向に張り出しており、
前記誤挿入防止ばね板は、前記一対のカード識別突起のいずれもが前記カード収容空間から前記カバー部材の左右の側壁側に後退することにより、前記カバー部材の上壁側に変位できるようになっていることを特徴とするカードコネクタの誤挿入防止機構。
【請求項２】
前記誤挿入防止ばね板は、前記カード収容空間において、前記カード挿抜口側から前記コンタクト側の斜め方向に張り出していることを特徴とする請求項１に記載のカードコネクタの誤挿入防止機構。
【請求項３】
前記誤挿入防止ばね板は、その先端領域において、前記カードの挿入方向と直交する方向の両端に係合片が形成され、前記係合片が前記ガイド部材に係合する構造になっていることを特徴とする請求項１または２に記載のカードコネクタの誤挿入防止機構。
【請求項４】
前記係合片は、その先端が前記カバー部材の上壁の方向に曲げられ、前記カバー部材において前記片持ち梁状板ばねの前記コンタクト側に設けられた係合口と係合するようになっていることを特徴とする請求項１ないし３のいずれか一項に記載のカードコネクタの誤挿入防止機構。
【請求項５】
ベース部材とカバー部材が重ね合わされ金属製の仕切り板により画成されて、前記カバー部材から前記ベース部材に向かって第１の収容部および第２の収容部の階層構造に形成されたカード収容部と、
前記第１の収容部および前記第２の収容部に連通するカード挿抜口と、
請求項１ないし４のいずれか一項に記載のカードコネクタの誤挿入防止機構と、を有し、
大きさの異なる２種類のカードのうち、前記第１の収容部に大きいカードが装着され、前記第２の収容部に小さいカードが装着されるようになっていることを特徴とするカードコネクタ。
【請求項６】
前記第１の収容部に前記大きなカードが装着されていない状態においては、前記カードコネクタの誤挿入防止機構の前記誤挿入防止ばね板の先端が前記仕切り板に接するようになっていることを特徴とする請求項５に記載のカードコネクタ。
【発明の詳細な説明】
【技術分野】
【０００１】
本発明は、カード誤挿入防止機構およびそれを備えたカードコネクタに関する。
【背景技術】
【０００２】
近年、パソコン、カメラ、録音機、携帯電話、携帯型オーディオ、ＰＤＡ（Personal Digital Assistance）、各種情報端末機器などの電子機器において、多くのＩＣカードが用いられるようになってきている。ＩＣカードには、情報の記録、伝達あるいは処理に用いられるＩＣチップと呼ばれるＩＣ部品が組込まれたＰＣカード、ＭＭＣ（Multi Media Card）カード、ＳＤ（Secure Digital）カード、ＳＩＭ（Subscriber Identity Module）カード等がある。これ等のＩＣカードは上記機器に取り付けられたカードコネクタに装着され使用される。そして、上記電子機器の小型化に伴い、装着されるＩＣカードも小型化、薄型化が進み、大きさの異なる種々のＩＣカードが出現している。なお、本明細書中において、ＩＣカードは、例えばフラッシュメモリ型の記録媒体のようなハードディスクとして機能するカード類なども含むものとする。
【０００３】
このように多種類のＩＣカードが出現すると共に、電子機器の機能拡張を図るために、互いに形状の異なる複数のＩＣカードをできるだけ多く併用できるカードコネクタが要求されている。そして、複数のＩＣカードが例えば選択的に装着できるいわゆるカード用複合コネクタが種々に提案されている。この複合コネクタの構造においては、所定のＩＣカードの正規のカード収容部とは異なる他のカード収容部への使用者による誤った挿入操作を回避する機構が必要になる。また、カードコネクタにおいて使用されることのない想定外のＩＣカード挿入を阻止できるようにすることが好ましい。これは、想定外にＩＣカードが挿入されると、カードコネクタから取り出すことが難しくなり、無理やり取り出さそうとしてカードコネクタの構成部品の変形あるいは損傷を引き起こす虞があるからである。
【０００４】
上記対策を施したカード用複合コネクタとして、装着されるＩＣカードを識別し、不適切なカードの使用を阻止する誤挿入防止機構を備えたカードコネクタが提示され、そして、これまで好適に用いられている（例えば、特許文献１参照）。このカード誤挿入防止機構は、ベース部材と、ベース部材に組み合わされることでカード収容部を形成するカバー部材とを有するカードコネクタにおいて、ベース部材側に取り付けられる。例えば横方向の寸法が異なる２種類のＩＣカードのうちの所定のＩＣカードの誤ったカード収容部への挿入操作を規制するように、共通のカード挿抜口近傍の内部に備えられている。
【０００５】
この誤挿入防止機構は、誤挿入規制部材（シャッター部材）、シャッター部材をロック状態又はアンロック状態にするロック／アンロック部材（ガイド部材）、シャッター部材を付勢する付勢部材（ねじりコイルばね）を含んで構成される。ここで、シャッター部材は、カード挿抜方向に直交する方向（横方向）して延在し、横幅の広い方のＩＣカード用のカード収容部に対して、横幅の狭い方のＩＣカードの誤った挿入操作を規制する。ガイド部材は、ＩＣカードの横幅を識別し、横幅の狭い方のＩＣカードの挿入を規制する第１の状態（ロック状態）と、横幅の広い方のＩＣカードの挿入を可能にする第２の状態（アンロック状態）とをシャッター部材にとらせる。そして、ねじりコイルばねは、シャッター部材をカード挿入方向とは反対方向に付勢する。
【０００６】
また、上記誤挿入防止機構がベース部材側に取り付けられるカードコネクタに対し、不適切なＩＣカードの使用を阻止する誤挿入防止機構がカバー部材側に設けられたカードコネクタが開示されている（例えば、特許文献２参照）。この場合の誤挿入防止機構は、カバー部材に一体に設けられ、例えば、弾性変形する規制板、この規制板の両端部に設けられた突出部を備えている。
【０００７】
上記規制板は、例えばカバー部材となる板金カバーにおいて、その天板部の所定の領域が切り起こし片として形成されたものであり、その先端部がベース部材の方向に張り出している。そして、上記一対の突出部は、これ等に接触する横幅をもつＩＣカードをカード収容部に挿入できるように、規制板を天板部側に変位させる構造になっている。このようなカードコネクタは、ＩＣカードの挿入においてシャッター部材の摺接によるカード損傷を防止すると共に、誤挿入防止機構を簡素化するものとして提案されている。カバー部材となる蓋ボディをシャッター部材となる引っ掛け押さえ部として利用する例は特許文献３にも見受けられる。前記引っ掛け押さえ部の両側にストッパー片が設けられており、この２つのストッパー片を、蓋ボディとは別部材の２つの挟み片が押さえつけている。挟み片は、自由端がカードの挿抜口側に延在し、挿抜口に対向するように配置されている。
【先行技術文献】
【特許文献】
【０００８】
【特許文献１】特開平２００８−２４３４６１号公報
【特許文献２】特開平２００９−２９５２９４号公報
【特許文献３】実用新案登録第３１０５２７６号公報
【発明の概要】
【発明が解決しようとする課題】
【０００９】
ところで、カード誤挿入防止機構を備えたカード用複合コネクタは、電子機器の機能拡張に対応して高機能化する一方で、その低コスト化の検討が必要になってきている。例えば特許文献１で示されるカード誤挿入防止機構の製造では、その構成部品のシャッター部材、一対のガイド部材および一対のねじりコイルばねは、それぞれ金属素材から加工形成され、樹脂製のベース部材に組み込まれる。そこで、上記構造の誤挿入防止機構を備えたカードコネクタの低コスト化では、その部品点数の削減ができないため、各部品の素材の低廉価あるいはその製造方法の簡素化が必要になる。しかし、このような手法による低コスト化の促進には限界がある。
【００１０】
一方、特許文献２で示されたようなカード誤挿入防止機構の製造では、上記規制板および突出部は、例えば板金カバーのプレス加工によりカバー部材と一体に形成される。そして、そのカードコネクタでは、誤挿入防止機構の部品点数が大きく削減され、それに伴い組み立て工数が低減して製造方法が簡素化される。これ等のために、その低コスト化が極めて容易になる。しかしながら、特許文献２に提示されているような誤挿入防止機構では、一対の突出部の一方にＩＣカードが接触する場合であっても、その規制板が天板部側に変位することがある。このために、不適切なＩＣカードがカードコネクタのカード収容部に挿入するのを確実、安定的に阻止することができない虞がある。特許文献３に示された両用メモリーカード接続器においては、蓋ボディに設けた引っ掛け押さえ部の両側のストッパー片を押さえつける挟みばね片が別部材として２つ必要となり、部品点数が多くなる。またストッパー片と挟みばね片が重なりあい、構造が複雑となるため、一枚の金属板の板金加工ができない。また、挟みばね片の自由端がカードの挿抜口側に向かって延在している。しかしながら、カードコネクタ小型化の要望により、カードコネクタの全長も制限され、挟みばね片をカードコネクタ内に配置した場合に確保できるばね長には制限がある。そのため、カードコネクタが小型化されるにつれ、挟みばね片のばね長も短くなり、ばねとしての耐久性が低くなる可能性がある。
【００１１】
本発明は、上述の事情に鑑みてなされたもので、装着されるＩＣカードを識別して不適切なＩＣカードのカードコネクタへの挿入を確実、安定的に防止し、その部品点数が少なく簡素な構成になるカードコネクタの誤挿入防止機構を提供する。そして、電子機器の機能拡張に対応した高機能化を維持し、その低コスト化を容易にするカードコネクタを提供できるようにする。
【課題を解決するための手段】
【００１２】
上記目的を達成するために、本発明にかかるカードコネクタの誤挿入防止機構は、複数のコンタクトを有するベース部材と該ベース部材に重ね合わされる板ばね材料からなるカバー部材とにより、カード挿抜口を備えたカード収容空間が形成されているカードコネクタにあって、カバー部材はガイド部材と誤挿入防止ばね板を一枚の金属板の一体成型で備えており、ガイド部材は少なくとも上壁および左右の側壁を有するカバー部材に一体に形成され、左右の側壁に連なり折り返され、カード挿抜方向に伸びるように形成された一対の片持ち梁状板ばねを有し、該片持ち梁状板ばねのそれぞれに一体に形成されカード挿抜口近くでカード収容空間内に突出している一対のカード識別突起を備えており、誤挿入防止ばね板は上壁に支持されカード収容空間の方向に張り出しており、誤挿入防止ばね板は、一対のカード識別突起のいずれもがカード収容空間からカバー部材の左右の側壁側に後退することにより、カバー部材の上壁側に変位できるようになっている。
【００１３】
そして、本発明にかかるカードコネクタは、ベース部材とカバー部材が重ね合わされ金属製の仕切り板により画成されて、カバー部材からベース部材に向かって第１の収容部および第２の収容部の階層構造に形成されたカード収容部と、前記第１の収容部および前記第２の収容部に連通するカード挿抜部と、上述したカードコネクタの誤挿入防止機構とを有し、大きさの異なる２種類のカードのうち第１の収容部に大きいカードが装着され、第２の収容部に小さいカードが装着されるようになっている。
【発明の効果】
【００１４】
本発明により、装着されるＩＣカードが識別されて、不適切なＩＣカードのカードコネクタへの挿入が確実、安定的に阻止され、その部品点数の少ない簡素な構造になるカードコネクタの誤挿入防止機構が提供される。そして、この誤挿入防止機構を備えたカードコネクタは、電子機器の機能拡張に対応した高機能化を維持しながら、その低コスト化を促進する。
【図面の簡単な説明】
【００１５】
【図１】本発明の実施形態にかかるカード誤挿入防止機構が設けられたカバー部材をベース部材から取り外して示したカードコネクタの一例の分解斜視図である。
【図２】図１のカードコネクタの仕切り板を取り外して示したカードコネクタのベース部材の斜視図である。
【図３】カード誤挿入防止機構が設けられたカバー部材を示し、（ａ）はロック状態の下方斜視図であり、（ｂ）はアンロック状態の下方斜視図である。
【図４】カバー部材に設けられたカード誤挿入防止機構の一部拡大斜視図である。
【図５】本発明の実施形態におけるカードコネクタに挿抜される２種類のＩＣカードの一例を示し、（ａ）はその大きな方のカードの下方平面図であり、（ｂ）は小さな方のカードの下方平面図である。
【図６】本発明の実施形態にかかるカードコネクタに大きな方のＩＣカードを装着した状態を示し、（ａ）はＩＣカードおよびガイド部材を透視した上面図であり、（ｂ）は（ａ）のＡ−Ａ矢視の断面図である。
【図７】本発明の実施形態にかかるカードコネクタに小さい方のＩＣカードを装着した状態を示し、（ａ）はＩＣカードおよびガイド部材を透視した上面図であり、（ｂ）は（ａ）のＢ−Ｂ矢視の断面図である。
【図８】本発明の実施形態にかかるカード誤挿入防止機構の作用効果の説明に供する図であり、（ａ）は小さい方のＩＣカードを挿入防止した状態におけるカードおよびガイド部材透視の上面図であり、（ｂ）は（ａ）のＣ−Ｃ矢視の断面図である。
【図９】本発明の実施形態にかかるカード誤挿入防止機構の作用効果の説明に供する図であり、（ａ）は小さい方のＩＣカードによりカード誤挿入防止機構の一方がロック解除された状態におけるカードおよびガイド部材透視の上面図であり、（ｂ）は（ａ）のＤ−Ｄ矢視の断面図である。
【図１０】本発明の実施形態にかかるカード誤挿入防止機構の作用効果の説明に供する図であり、（ａ）は小さい方のＩＣカードがカード誤挿入防止機構の一方をロック解除し、更に他方をロック解除しようとする状態におけるカードおよびガイド部材透視の上面図であり、（ｂ）はその状態における（ａ）のＥ−Ｅ矢視の断面図である。
【図１１】本発明の実施形態のカバー部材の展開図である。
【発明を実施するための形態】
【００１６】
以下に本発明の好適な実施形態について図面を参照して説明する。この実施形態では大きなカードと小さなカードの２種類のＩＣカードが装着されるカード用複合コネクタの場合について説明される。図１ないし図３は本実施形態のカードコネクタの一例を示す図であって、図１はカード誤挿入防止機構が設けられたカバー部材をベース部材から取り外して示したカードコネクタの分解斜視図である。図２は図１に示すカードコネクタの仕切り板を取り外して示したベース部材の斜視図である。図３はカード誤挿入防止機構が設けられたカバー部材を示し、（ａ）はそれがロック状態の下方斜視図であり、（ｂ）はそれがアンロック状態の下方斜視図である。
【００１７】
そして、図４はカバー部材に設けられたカード誤挿入防止機構の一部拡大斜視図である。また、図５はカードコネクタに挿抜される２種類のＩＣカードの一例を示し、（ａ）はその大きな方のカードの下方平面図であり、（ｂ）は小さな方のカードの下方平面図である。以下、図面においては、その要部に符号が付され、互いに同一または類似の部分には共通の符号を付して、重複説明は一部省略される。
【００１８】
なお、本明細書において、用語「前」及び「後」は、それぞれ、図１ないし図３において、＋ｘ方向及び−ｘ方向を示し、用語「左」及び「右」は、それぞれ、それ等の図において、＋ｙ方向及び−ｙ方向を示し、用語「上」及び「下」は、それぞれ、それ等の図において、＋ｚ方向及び−ｚ方向を示すものとする。
【００１９】
図１および図２に示すように、本実施形態のカードコネクタ１０では、コネクタ本体のベース部材１１と、このベース部材に重ね合わされるカバー部材１２とによりカード収容空間１３が形成されている。ここで、ベース部材１１は例えば加工性に優れた絶縁性の合成樹脂材料の射出成形により作られ、カバー部材１２は例えばステンレス等の一枚の金属板材料（板ばね材料）の打ち抜き曲げ加工により形成される。
【００２０】
そして、カード収容空間１３の後端にカード挿抜口１４が設けられる。このカード挿抜口１４は、例えば図５（ａ）に示した第１のカード１００が挿抜される第１の挿抜口１４ａと、例えば図５（ｂ）に示した第２のカード２００が挿抜される第２の挿抜口１４ｂからなる。また、カード収容空間１３は、中空で扁平なカード収容部１５が形成されている。このカード収容部１５は、上記第１のカード１００が装着される第１の収容部１５ａと第２のカード２００が装着される第２の収容部１５ｂの階層構造になっている。ここで、第１の収容部１５ａおよび第２の収容部１５ｂは、それぞれ第１の挿抜口１４ａおよび第２の挿抜口１４ｂにカード収容空間１３内で連通し、仕切り板１６により区画されている。
【００２１】
更に、カード収容空間１３の前端には、第１のカード１００のカード本体１０１の前端部に設けられたコンタクトパッド１０２と加圧接触する多数の第１のコンタクト列１７が、ベース部材１１の底壁１８に設けた複数の固定溝１９内に植設されている。これ等のコンタクト列１７は、それぞれにカード挿抜方向に伸びた弾性接片からなる。そして、カードコネクタ１０の搭載される電子機器の外部端子に電気的に接続される第１の接続端子部１７ａとして、例えばベース部材１１の前壁から外部に延出するように形成されている。同様に、第２のカード２００のコンタクトパッド２０２と加圧接触する多数の第２のコンタクト列２０が植設され、電子機器の外部端子に接続される第２の接続端子部２０ａとして、例えば第２の挿抜口１４ｂからカードコネクタ外部に延出している。
【００２２】
上述したベース部材１１の底壁１８およびその左右の側壁は所要の形状に成形してある。ここで、ベース部材１１の底壁１８には、仕切り板１６を挟んで第１の収容部１５ａを構成する第１の底壁１８ａ、第２の収容部１５ｂを構成する第２の底壁１８ｂが形成されている。更に、傾斜面を有して仕切り板１６の後端部を係合する有低の仕切り板係合凹部１８ｃが形成されている。また、ベース部材１１の後方において、その左右の側壁にそれぞれのガイド部材を係合して固定する有底の左ガイド嵌合凹部２１ａおよび右ガイド嵌合凹部２１ｂが形成されている。
【００２３】
上記仕切り板１６は、その前方が断面略Ｕ字形をなし、底壁１６ａ、左右の側壁１６ｂを含み、金属薄板からプレス加工により製造される。底壁１６ａは、左右の弾性脚部１６ｃ、その前端と後方に形成される２つの開口窓１６ｄ、１６ｅ、および一対のカード導入傾斜面１６ｆを有する。左右の弾性脚部１６ｃは、それぞれ底壁１６ａの下方に向けて切り起こされ、弾性を有し、カードコネクタ１０として組み立てられたとき、仕切り板１６をカバー部材１２の上壁１２ａに対して弾性的に押し付ける。そして、仕切り板１６の底壁１６ａとカバー部材１２の上壁１２ａとの間には、装着が予定されている第１のカード１００が収容される第１の収容部１５ａが形成される。この第１のカード１００は例えばＳＤカードである。
【００２４】
ここで、第１のカード１００がカード導入傾斜面１６ｆにより案内されて第１の収容部１５ａに挿入されると、仕切り板１６は押し下げられる。その反力で、仕切り板１６は、第１のカード１００をカバー部材１２の上壁１２ａに押し付ける。また、仕切り板１６の底壁１６ａとベース部材１１の第２の底壁１８ｂとの間には第２のカード２００が収容される第２の収容部１５ｂが形成される。この第２のカード２００が例えばMicroＳＤカードである。
【００２５】
仕切り板１６の底壁１６ａの前端に設けられる開口窓１６ｄでは、第１のカード１００のコンタクトパッド１０２に接触する第１のコンタクト列１７の接点部が第１の収容部１５ａ内に突出できるように配置される。底壁１６ａの後方に設けられる開口窓１６ｅは、第２のカード２００のカード本体２０１の前端部に設けられたコンタクトパッド２０２に接触する第２のコンタクト列２０の接点部に対応して設けられる。この開口窓１６ｅは、第１のカード１００が挿入されたとき、仕切り板１６が下降するが、この時、仕切り板１６の底壁１６ａが第２のコンタクト列２０を押圧しそれ等が短絡するのを防止するために設けられている。
【００２６】
カバー部材１２は、上から見てベース部材１１と相似形の例えば矩形状をなし、上壁１２ａ、左右の側壁１２ｂおよび前壁１２ｃを備え、下方および後方が開放している。そして、カバー部材１２の上壁１２ａに例えば打ち抜き部２２が施されて、弾性変形する誤挿入防止ばね板２３が下向きに切り起こされ形成されている。ここで、その切り起こされる折り曲げ部分の基端部２３ａはカバー部材１２の上壁１２ａに連なり、その先端部２３ｂが自由端になる。そして、基端部２３ａの領域の上壁１２ａに所要のばね調整用開口２４ａ、２４ｂが設けられている。更に、誤挿入防止ばね板２３には、その先端部２３ｂの少し後方に位置する両端部に係合片として防止ばね板係合部２３ｃが設けられ、ガイド部材２５に設けられた例えば係合開口２５ａに係止されるようになっている。このような誤挿入防止ばね板２３がＩＣカード挿入のシャッター部材となる。誤挿入防止ばね板２３の先端部２３ｂおよびばね片であるガイド部材２５の各自由端はカード挿抜口から挿入されるカードに対して背向している。これらのばね片はカバー部材を一枚の金属板から板金打ち抜き加工するときに一体に形成される。図１１はカバー部材を展開した平面図であり、製造法上、構造が簡単であり、各部を折り曲げて容易に形成できる。
【００２７】
次に、図３および図４を参照して、本実施形態にかかるカード誤挿入防止機構を構成する上記誤挿入防止ばね板２３とガイド部材２５について詳細に説明する。誤挿入防止ばね板２３とガイド部材２５は、装着が予定されている第１のカード１００かどうかを識別し、第２のカード２００あるいは想定外のカードが第１の収容部１５ａに入り込むのを防止する部材である。図３に示されるように、ガイド部材２５は、カバー部材１２の左右の側壁１２ｂに沿って左右対称に一対に設けられる。
【００２８】
ガイド部材２５は、例えばステンレス等の板ばね材料の打ち抜き曲げ加工により、カバー部材１２と一体に形成され、左右の側壁１２ｂに連なり湾曲して折り返され、カード挿抜方向に伸びた弾性変形可能な片持ち梁状板ばねになっている。折り返されることにより、コネクタの小型化を妨げずに、ばね長を長くすることができ、ばねとしての耐久性が高くなる。そして、この一対のガイド部材２５は、それぞれ、左右の側壁１２ｂを固定部として、湾曲部２５ｂ、識別突起部２５ｃ、および係合開口２５ａが設けられる偏倚板２５ｄを含む。この一対のガイド部材２５は、それぞれベース部材１１に設けられた左ガイド嵌合凹部２１ａおよび右ガイド嵌合凹部２１ｂに嵌め込まれるようになる。
【００２９】
識別突起部２５ｃは、カードコネクタ１０に装着される第１のカード１００が認識できるようにカード挿抜口１４の方向に突き出るように形成されている。ここで、一対のガイド部材２５のそれぞれに設けられた２つの識別突起部２５ｃの間の間隔が少なくとも第１のカード１００の幅より小さくなるように、そして第２のカード２００の幅より大きくなるように設定される。識別突起部２５ｃの位置はカード挿抜口１４の近くに配置している。すなわち異種カードが誤挿入されたときに、カードの一部が挿抜口１４から飛び出している状態までの内側とする。望ましくは挿抜口と誤挿入防止ばね板の基端部２３ａ間に位置させる。
【００３０】
偏倚板２５ｄは、固定部である左右の側壁１２ｂに対して湾曲部２５ｂを介して弾性変形可能に形成されており、その前端部に設けられた係合開口２５ａが誤挿入防止ばね板２３の防止ばね板係合部２３ｃと係合するように形成されている。そして、この係合開口２５ａが誤挿入防止ばね板２３をロック状態あるいはアンロック状態にする。
【００３１】
図４は、例えば図３（ａ）に示すような状態であり、カードコネクタ１０にＩＣカードが挿入または装着されていない状態を示している。ここで、誤挿入防止ばね板２３は、その先端部２３ｂの近くの領域に設けられた防止ばね板係合部２３ｃが偏倚板２５ｄの係合開口２５ａと係合して、ＩＣカードのカードコネクタ１０への挿入を阻止するようになっている。この防止ばね板係合部２３ｃの先端は好ましくは上方に鉤状に屈曲した形状の屈曲部２３ｄを有する。この屈曲部２５ｄの機能については後述される。
【００３２】
このようなカード誤挿入防止機構では、第１のカード１００がカードコネクタ１０に挿入されるとき、一対のガイド部材２５の左右の識別突起部２５ｃは、同時に第１のカード１００の左右横部で押圧され左右に開かれる。すなわち、識別突起部２５ｃは、カード挿抜口１４から引っ込み、カバー部材１２の左右の側壁１２ｂ側に同時に後退する。それに伴い、図３（ｂ）に示すように、左右の偏倚板２５ｄも左右に偏倚し、誤挿入防止ばね板２３の防止ばね板係合部２３ｃは、偏倚板２５ｄに設けられている係合開口２５ａから外れる。そして、第１のカード１００は、その前端部が誤挿入防止ばね板２３を容易に上方に押上げ挿入できるようになる。
【００３３】
これに対して、例えば第２のカード２００のようにその幅が小さく、ＩＣカードが一対のガイド部材２５の識別突起部２５ｃを同時に押圧しない場合には、誤挿入防止ばね板２３は係合開口２５ａとの係合が解除されない。そして、そのカードの前端部が誤挿入防止ばね板２３を上方に押上げることができず、その挿入は阻止される。また、カードコネクタ１０に装着されない想定外のＩＣカード挿入の場合でも、同様にして本実施形態のカード誤挿入防止機構がその挿入を阻止するように働く。これ等の作用効果の詳細については後述される。
【００３４】
次に、本実施形態のカード誤挿入防止機構を備えたカードコネクタ１０の動作について図１ないし図５、および図６と図７を参照して説明する。ここで、図６は第１のカード１００をカードコネクタ１０に装着した状態を示し、（ａ）はＩＣカードおよびガイド部材を透視した上面図であり、（ｂ）は（ａ）のＡ−Ａ矢視の断面図である。また、図７は第２のカード２００を装着した状態を示し、（ａ）はＩＣカードおよびガイド部材を透視した上面図であり、（ｂ）は（ａ）のＢ−Ｂ矢視の断面図である。
【００３５】
図６に示したような第１のカード１００の装着では、第１のカード１００はカード誤挿入防止機構をアンロック状態にし、誤挿入防止ばね板２３を上方に押上げて、図１で説明した第１の収容部１５ａに収容される。そして、そのコンタクトパッド１０２が第１のコンタクト列１７に加圧接触する。この場合、仕切り板１６はベース部材１１の第１の底壁１８に押し付けられ、第２の収容部１５ｂは狭くなる。そこで、通常では、第１のカード１００が装着されている状態下において、第２のカード２００は装着されない。
【００３６】
なお、このＩＣカードの挿入は、第１の挿抜口１４ａから前方にむけてＩＣカードの後端部を押圧する手差しで行われる。ここで、第１のカード１００が誤挿入防止機構のアンロック状態の下に第１の収容部１５ａに挿入される場合、仕切り板１６の後端部に設けられている一対のカード導入傾斜面１６ｆに案内される。そして、このＩＣカードのカードコネクタ１０からの脱着は、逆にＩＣカード１００の後端部を第１の挿抜口１４ａから後方にむけて後方へ引き出すことにより行われる。ここで、カードコネクタにいわゆるプッシュイン・プッシュアウト機構が備えられていると、カード後端部の押圧によりＩＣカードはカードコネクタから自動的に押し出される。
【００３７】
この第１のカード１００の脱着において、第１のカード１００の前端部が誤挿入防止ばね板２３の先端部２３ｂより後方に引き出されると、誤挿入防止ばね板２３の弾性によりその先端部２３ｂおよび防止ばね板係合部２３ｃは仕切り板１６方向に下降して元の位置に戻る。そして、この状態では、ガイド部材２５の識別突起部２５ｃは依然として誤挿入防止ばね板２３に押圧された状態にあり、偏倚板２５ｄは左右に偏倚したままである。引き続いて、そのＩＣカードの前端部が識別突起部２５ｃより後方の位置まで引き出されると、今度はガイド部材２５に対するＩＣカードの押圧が解除されて偏倚板２５ｄとその係合開口２５ａが元の位置に戻る。そして、先に元の位置に戻っている防止ばね板係合部２３ｃが係合開口２５ａ内に収まり、カード誤挿入防止機構が初期状態に戻る。
【００３８】
この初期状態において、誤挿入防止ばね板２３の先端部２３ｂは仕切り板１６に接触する位置まで戻っていると好適である。第１のカード１００の上記挿脱においては、ＩＣカードを装着する際に人体に帯電した静電気が、カードからカードコネクタへと放電され、ＩＣカードを電気的破壊したり、あるいは、カードコネクタが搭載される電子機器内に配設されたプリント回路基板の回路を破壊してしまう恐れがある。ここで、誤挿入防止ばね板２３の先端部２３ｂを仕切り板１６へ接触させることで、静電気をカバー部材を介してプリント回路基板に形成されたグランド回路に徐電するように働き、ＩＣカードの電気的破損などから保護するようになる。
【００３９】
他方、図７に示したような第２のカード２００の装着では、第２のカード２００はカード誤挿入防止機構がロック状態のままで、図１で説明した第２の収容部１５ｂに収容される。そして、そのコンタクトパッド２０２が第２のコンタクト列２０に加圧接触する。この場合、仕切り板１６は、図１で説明したような左右の弾性脚部１６ｃにより上方に押上げられており、通常では、第２のカード２００が装着されている状態下において、第１のカード１００は装着されない。
【００４０】
この第２のカード２００のカードコネクタに対する装着および脱着は、その後端部を押圧および引き出しにより行われる。この場合には、上述したプッシュイン・プッシュアウト機構によるＩＣカードの挿脱はしなくてもよい。
【００４１】
次に、カードコネクタ１０における想定外のＩＣカードの誤挿入防止について、図８ないし図１０を参照して説明する。ここで、図８はカードコネクタ１０におけるカード誤挿入防止機構の作用効果の説明に供する図であり、（ａ）は第２のカード２００の第１の収容部１５ａへの挿入防止の状態におけるカードおよびガイド部材透視の上面図であり、（ｂ）は（ａ）のＣ−Ｃ矢視の断面図である。
【００４２】
そして、図９は、カード誤挿入防止機構の作用効果の説明に供する図であり、（ａ）は例えば第２のカード２００のような小さい方のＩＣカードによりカード誤挿入防止機構の一方がロック解除された状態におけるカードおよびガイド部材透視の上面図であり、（ｂ）は（ａ）のＤ−Ｄ矢視の断面図である。同様に、図１０はカード誤挿入防止機構の作用効果の説明に供する図であり、例えば第２のカード２００のような小さい方のＩＣカードがカード誤挿入防止機構の一方をロック解除し、更に他方をロック解除しようとする状態におけるカードおよびガイド部材透視の上面図であり、（ｂ）はその状態における（ａ）のＥ−Ｅ矢視の断面図である。
【００４３】
最初に、図８を参照して、装着が予定されている第２のカード２００のカードコネクタ１０への装着における誤挿入防止について簡単に説明する。通常の操作において、第２のカード２００の例えば手差しにより第１の挿抜口１４ａから第１の収容部１５ａに挿入しようとしても、上述したカード誤挿入防止機構がアンロック状態のままになり、その挿入は誤挿入防止ばね板２３により容易に阻止される。これは、図１ないし図７の中で説明したカード誤挿入防止機構およびカードコネクタ１０の動作から明らかである。
【００４４】
次に、カードコネクタ１０における想定外のＩＣカード挿入がなされる場合の誤挿入防止について、図９および図１０を参照して説明する。この想定外の挿入は、カバー部材１２に設けられた一対のガイド部材２５の一対の識別突起部２５ｃに対して短い時間に１つのＩＣカードの押圧が働く場合である。これは、適切なＩＣカードである第１のカード１００より小さくその横幅が近いＩＣカードにおいて起こり易いが、説明を簡明にするためにそのまま第２のカード２００を用いて説明する。
【００４５】
図９に示されるように、第１のカード１００より小さな例えば第２のカード２００により、通常と異なる操作のために、第２のカード２００の左片側の辺が左のガイド部材２５の識別突起部２５ｃを押圧するように挿入される。この押圧により、誤挿入防止ばね板２３の左側の防止ばね板係合部２３ｃが、そのガイド部材２５の係合開口２５ａから外れる。そして、この第２のカード２００は誤挿入防止ばね板２３に対して、それを上方に押上げるように押圧する。しかし、この状態では、右のガイド部材２５は誤挿入防止ばね板２３の右側の防止ばね板係合部２３ｃを係止したままである。
【００４６】
引き続いて、図１０（ａ）に示すように、この第２のカード２００が短時間の間に右側に移動し、右のガイド部材２５の識別突起部２５ｃを押圧することが起こるとする。そして、このような短時間の間に、上記左側に続く右側の識別突起部２５ｃの押圧が生じるとする。しかし、このような想定外のＩＣカード挿入の場合、本実施形態で説明したカード誤挿入防止機構では、右側の防止ばね板係合部２３ｃは、以下に説明するように、そのガイド部材２５の係合開口２５ａから外れ難くなるように働く。
【００４７】
左側の防止ばね板係合部２３ｃの係合開口２５ａのロック解除により、誤挿入防止ばね板２３が上方に少し押上げられる。しかし、図１０（ｂ）に示すように上方に押上げられることで、防止ばね板係合部２３ｃの先端部で上方に曲がった屈曲部２３ｄは、係合開口２５ａの上方で引っ掛かり易くなる。そして、この屈曲部２３ｄによりガイド部材２５の偏倚板２５ｄの側壁１２ｂ方向への偏倚が抑止されるようになる。このために、上記想定外の操作であっても、不適切なＩＣカード挿入は、本実施形態のカード誤挿入防止機構により、確実に安定的に防止される。なお、このような想定外のＩＣカード挿入操作は、具体的には例えばＩＣカードの横方向が挿入方向に直交する方向からずれて斜めに挿入されるような場合である。
【００４８】
本実施形態のカード誤挿入防止機構において、誤挿入防止ばね板２３をロック状態あるいはアンロック状態にするガイド部材２５の係合開口２５ａ、この係合開口２５ａと係合する防止ばね板係合部２３ｃとしては、種々のものが考えられる。係合開口２５ａでは、その下方部分が切り取られた構造になっていてもよい。また、その上方部分の防止ばね板係合部２３ｃが当接するところが粗い形状になり、その当接した状態で防止ばね板係合部２３ｃと係合開口２５ａの間の摩擦が大きくなるような構造になっていてもよい。逆に、防止ばね板係合部２３ｃの当接する表面が粗い形状になっていてもよい。このような構造の場合であっても、その効果は少し低減するものの屈曲部２３ｄの場合と同様に奏され、防止ばね板係合部２３ｃの先端において屈曲部２３ｄを省くこともできる。
【００４９】
その他に、互いに係合する防止ばね板係合部２３ｃと係合開口２５ａは種々の構造のものが考えられる。いずれにしても、一対のガイド部材２５がほぼ同時に誤挿入防止ばね板２３の係合を解除しない限り、カード誤挿入防止機構はアンロック状態にならないような構造になっているのが好ましい。
【００５０】
本実施形態では、ベース部材とカバー部材が重ね合わされてなるカードコネクタにおいて、そのカード誤挿入防止機構は上記カバー部材と一体に形成される。ここで、この誤挿入防止機構は、カバー部材が例えば打ち抜き加工されその上壁に形成された誤挿入防止ばね板のシャッター部材と、カバー部材が打ち抜き曲げ加工されその側壁に形成された一対のガイド部材とからなる。このために、従来のカード誤挿入防止機構の場合に較べて格段にその部品点数が削減されると共に、その製造方法が簡素化され、その製造コストが大幅に低減される。このようにして、電子機器の機能拡張に対応した高機能化を維持しながらカードコネクタの低廉化が促進される。
【００５１】
また、本実施形態のカード誤挿入防止機構は、一対のガイド部材が略同時に誤挿入防止ばね板との係合を解除しない限りアンロック状態にできない。このために、装着が想定外となる不適切なＩＣカードのカードコネクタへの挿入が確実、安定的に阻止できるようになる。そして、その誤挿入に伴うカードコネクタの構成部品その中でも特にコンタクト列の変形あるいは損傷が確実に防止される。
【００５２】
以上、本発明の好適な実施形態について説明したが、上述した実施形態は本発明を限定するものでない。当業者にあっては、具体的な実施態様において本発明の技術思想および技術範囲から逸脱せずに種々の変形・変更を加えることが可能である。
【００５３】
例えば、カード誤挿入防止機構を構成する誤挿入防止ばね板は、本実施形態で説明したカードコネクタの場合とは逆の斜め方向に張り出すようになっていてもよい。すなわち、そのカード収容空間の方向において、その例えばコンタクトからカード挿抜口に向かうような斜め方向になっていても構わない。
【００５４】
また、本実施形態のカード誤挿入防止機構は、１層のカード収容部にＩＣカードが装着される構造のカードコネクタ、あるいは３層以上のカード収容部が設けられるカード用複合コネクタに適用してもよい。
【符号の説明】
【００５５】
１０…カードコネクタ、１１…ベース部材、１２…カバー部材、１２ａ…上壁、１２ｂ…左右の側壁、１３…カード収容空間、１４…カード挿抜口、１４ａ…第１の挿抜口、１４ｂ…第２の挿抜口、１５…カード収容部、１５ａ…第１の収容部、１５ｂ…第２の収容部、１６…仕切り板、１６ａ…仕切り板の底壁、１６ｂ…左右の側壁、１６ｃ…左右の弾性脚部、１６ｄ，１６ｅ…開口窓、１６ｆ…カード導入傾斜面、１７…第１のコンタクト列、１７ａ…第１の接続端子部、１８…ベース部材の底壁、１８ａ…第１の底壁、１８ｂ…第２の底壁、１８ｃ…仕切り板係合凹部、１９…固定溝、２０…第２のコンタクト列、２０ａ…第２の接続端子部、２１ａ…左ガイド嵌合凹部、２１ｂ…右ガイド嵌合凹部、２２…打ち抜き部、２３…誤挿入防止ばね板、２３ａ…基端部、２３ｂ…先端部、２３ｃ…防止ばね板係合部、２３ｄ…屈曲部、２４ａ，２４ｂ…ばね調整用開口、２５…ガイド部材、２５ａ…係合開口、２５ｂ…湾曲部、２５ｃ…識別突起部、２５ｄ…偏倚板
【図１】
2011233076.tif 000003
【図２】
2011233076.tif 000004
【図３】
2011233076.tif 000005
【図４】
2011233076.tif 000006
【図５】
2011233076.tif 000007
【図６】
2011233076.tif 000008
【図７】
2011233076.tif 000009
【図８】
2011233076.tif 000010
【図９】
2011233076.tif 000011
【図１０】
2011233076.tif 000012
【図１１】
2011233076.tif 000013